(57)【要約】【課題】  溶接電源に複数のロックモードを有し、ロック設定用キースイッチの操作によって所望のロックモードを選択することができるようにすること。【解決手段】  溶接電源は第１ロックモード及び第２ロックモードを有し、溶接電源に設けられたロック設定部によって第１ロックモードを選択すると、溶接電源のフロントパネル及び溶接電源外部からの複数の指令信号の中から溶接起動・停止指令信号、溶接ワイヤを送給させるインチング指令信号及びシールドガスを放流させるガスチェック指令信号の入力を許可しその他の指令信号の入力を禁止してロックし、ロック設定部によって第２ロックモードを選択すると指令信号の中から溶接起動・停止指令信号、インチング指令信号、ガスチェック指令信号、出力電流指令信号及び出力電圧指令信号の入力を許可し、その他の指令信号の入力を禁止してロックすることを特徴とする溶接電源のロック制御方法。【選択図】図１
2007210007.tif 000002
【特許請求の範囲】
【請求項１】
溶接電源は第１ロックモード及び第２ロックモードを有し、溶接電源に設けられたロック設定部によって前記第１ロックモードを選択すると、溶接電源のフロントパネル及び溶接電源外部からの複数の指令信号の中から溶接起動・停止指令信号、溶接ワイヤを送給させるインチング指令信号及びシールドガスを放流させるガスチェック指令信号の入力を許可し、その他の指令信号の入力を禁止してロックし、前記ロック設定部によって前記第２ロックモードを選択すると、前記指令信号の中から溶接起動・停止指令信号、前記インチング指令信号、前記ガスチェック指令信号、出力電流指令信号及び出力電圧指令信号の入力を許可し、その他の指令信号の入力を禁止してロックする、ことを特徴とする溶接電源のロック制御方法。
【請求項２】
溶接電源はさらに第３ロックモードを有し、前記ロック設定部によって前記第３ロックモードを選択すると、前記溶接起動・停止指令信号を除く全ての指令信号の入力を禁止してロックする、ことを特徴とする請求項１記載の溶接電源のロック制御方法。
【請求項３】
前記ロック設定部が各ロックモードに対応したパスワードを入力してロックモードを選択するロック設定部である、ことを特徴とする請求項１又は請求項２記載の溶接電源のロック制御方法。
【請求項４】
前記ロック設定部への前記パスワードの入力を、回転式設定部によって行う、ことを特徴とする請求項３記載の溶接電源のロック制御方法。
【発明の詳細な説明】
【技術分野】
【０００１】
本発明は、溶接電源に複数のロックモードを設け、この複数のロックモードの中から１つを選択して溶接電源をロックするロック制御方法に関するものである。
【背景技術】
【０００２】
アーク溶接を行う際に、作業者がワークに適した溶接条件を設定する必要がある。溶接条件には数多くのパラメータがあり、例えば、炭酸ガスアーク溶接では溶接電圧及び溶接電流等の溶接条件を設定する。作業者がアーク溶接を行っている際に、昼休み等によってアーク溶接を一旦中断し、終了後に再びアーク溶接を開始することは多々ある。このとき、何らかの理由によってフロントパネルのスイッチ等を誤って操作してしまうと溶接条件が変更され、ワークに適した溶接条件を再設定する必要がある。この再設定は作業者にとって面倒な作業である。また、市場では溶接条件の変更を禁止するロック機能を設けた溶接電源が販売されている。以下、ロック機能を有する溶接電源について説明する。
【０００３】
図１１は、従来技術の溶接電源ＷＰＳのブロック図である。同図において、溶接電源ＷＰＳは、所定の位置にロック及びロック解除を行うキースイッチＫＳが設けられている。
【０００４】
図１１に示す電源主回路ＩＮＶは、３相２００Ｖ等の商用電源を入力し、交流の商用電源を直流電圧に整流し、インバータ制御等の出力制御を行い溶接に適した溶接電圧Ｖｗ及び溶接電流Ｉｗに変換して出力する。溶接ワイヤ２は、ワイヤ送給モータ４によって溶接トーチ１内を送給し被加工物２との間にアークを発生する。
【０００５】
電圧検出回路ＶＤは、溶接電圧Ｖｗを検出して電圧検出信号Ｖｄとして出力する。誤差増幅回路ＥＡは、後述する電圧設定信号Ｖｒと電圧検出信号Ｖｄとを誤差増幅して誤差増幅信号Ｅａを出力し電源主回路ＩＮＶを定電圧特性にする。
【０００６】
トーチスイッチＴＳは、溶接トーチ１に設けられている。トーチスイッチＴＳは、溶接起動・停止指令信号（以後、トーチスイッチ指令信号という）Ｔｓを出力する。キースイッチＫＳは、鍵を差し所定の位置まで回して抜くとキースイッチ指令信号Ｋｓを出力し、逆に抜いた鍵を差して元の位置まで回して抜くとキースイッチ指令信号Ｋｓの出力を停止する。
【０００７】
図１１に示す溶接電源ＷＰＳにおいて、ガスチェックスイッチＧＳはガスチェック指令信号Ｇｓを出力し、インチングスイッチＩＮはインチング指令信号Ｉｎを出力し、溶接法選択スイッチＷＤはＣＯ２又はＭＡＧ溶接を選択する溶接法選択指令信号Ｗｄを出力し、ワイヤ径選択スイッチＩＤはワイヤ径を選択するワイヤ径選択指令信号Ｉｄを出力し、アークスポットスイッチＡＴはアークスポット指令信号Ａｔを出力し、一元・個別スイッチＵＩは一元又は個別を選択する一元・個別指令信号Ｕｉを出力する。また、溶接電源ＷＰＳの外部に接続されたトーチスイッチＴＳは、トーチスイッチ指令信号Ｔｓを出力し、リモートコントロールＲＥは、予め定めた出力電圧指令信号Ｖｓ及び出力電流指令信号Ｉｓを出力する。
【０００８】
ロック設定回路ＲＫは記憶機能を有し、ガスチェック指令信号Ｇｓ、インチング指令信号Ｉｎ、アークスポット指令信号Ａｔ、一元・個別指令信号Ｕｉ、ワイヤ径選択指令信号Ｉｄ、溶接法選択指令信号Ｗｄ、トーチスイッチ指令信号Ｔｓ、出力電圧指令信号Ｖｓ及び出力電流指令信号Ｉｓを入力とし、キースイッチ指令信号Ｋｓの出力が停止のとき、上記全ての指令信号を書き込んで逐次記憶し、続いて上記記憶した全ての指令信号を読み出して主制御回路ＳＣの出力する。次に、キースイッチＫＳに鍵を差し所定の位置まで回して抜きキースイッチ指令信号Ｋｓを出力すると、ロック設定回路ＲＫは、ロックと判別してトーチスイッチ指令信号Ｔｓを書き込んで逐次記憶し、その他全ての指令信号の書き込みを禁止する。そして、読み出しは記憶されたトーチスイッチ指令信号Ｔｓとロック前に記憶したその他全ての指令信号とを出力する。
【０００９】
主制御回路ＳＣは、ロック前に記憶したその他全ての指令信号を入力し、トーチスイッチ指令信号Ｔｓに応じて電源主回路ＩＮＶ及び送給制御回路ＳＷの制御を行う。
【００１０】
続いて、キースイッチＫＳに抜いた鍵を差して元の位置まで回して抜くとキースイッチ指令信号Ｋｓは出力を停止する。ロック設定回路ＲＳは、キースイッチ指令信号Ｋｓの出力が停止するとロック解除と判別して全ての指令信号の書き込みを許可し、主制御回路ＳＣに新たに記憶された全ての指令信号を出力する。このとき、ロック解除となる。
【００１１】
上述に示すように、溶接電源ＷＰＳにキースイッチＫＳを設け、このキースイッチＫＳによってロック及びロック解除を行う方法が提案されている。（例えば、特許文献１）
【００１２】
【特許文献１】特開２００５−３１３２１９号公報
【発明の開示】
【発明が解決しようとする課題】
【００１３】
作業者が溶接電源のフロントパネル等に配設したスイッチ類及びツマミ類を誤って操作し、最適な溶接条件を変更してしまう操作ミスが多々ある。このとき、従来技術では溶接電源にロック設定用キースイッチを設け、このキースイッチによってロックを行い、トーチスイッチ指令信号Ｔｓを除く全ての指令信号の更新を禁止してスイッチ類及びツマミ類の誤操作による溶接条件変更を防止していた。
【００１４】
しかし、溶接作業において、ガス流量の調整及び溶接ワイヤの溶接トーチへの送給調整が頻繁に行われが、従来のロック制御方法ではガス流量を調整するガスチェック指令信号及び溶接ワイヤを送給するインチング指令信号の入力も禁止するので、作業者が上記調整を行うたびに溶接電源のロックを解除しなければならなかった。
【００１５】
さらに、溶接作業において工作物等を交換するときも多々ある。このとき、工作物の交換に応じて溶接電源の出力電圧及び出力電流の調整を必要とする。しかし、リモートコントロールからの出力電圧指令信号及び出力電流指令信号の入力も禁止するので、作業者が工作物を交換するたびに溶接電源のロックを解除しなければならい。このロック解除は面倒であり溶接作業の効率性も悪くする。よって、溶接電源がロックのときでも上述に示す各調整等を行うことができるロック制御方法が求められる。
【００１６】
そこで、本発明では、上述した課題を解決することができる溶接電源のロック制御方法を提供することにある。
【課題を解決するための手段】
【００１７】
上述した課題を解決するために、第１の発明は、溶接電源は第１ロックモード及び第２ロックモードを有し、溶接電源に設けられたロック設定部によって上記第１ロックモードを選択すると、溶接電源のフロントパネル及び溶接電源外部からの複数の指令信号の中から溶接起動・停止指令信号、溶接ワイヤを送給させるインチング指令信号及びシールドガスを放流させるガスチェック指令信号の入力を許可し、その他の指令信号の入力を禁止してロックし、上記ロック設定部によって上記第２ロックモードを選択すると、上記指令信号の中から溶接起動・停止指令信号、上記インチング指令信号、上記ガスチェック指令信号、出力電流指令信号及び出力電圧指令信号の入力を許可し、その他の指令信号の入力を禁止してロックする、ことを特徴とする溶接電源のロック制御方法である。
【００１８】
第２の発明は、溶接電源はさらに第３ロックモードを有し、上記ロック設定部によって上記第３ロックモードを選択すると、上記溶接起動・停止指令信号を除く指令信号全ての入力を禁止してロックする、ことを特徴とする請求項１記載の溶接電源のロック制御方法である。
【００１９】
第３の発明は、上記ロック設定部が各ロックモードに対応したパスワードを入力してロックモードを選択するロック設定部である、ことを特徴とする請求項１又は請求項２記載の溶接電源のロック制御方法である。
【００２０】
第４の発明は、上記ロック設定部への上記パスワードの入力を、回転式設定部によって行う、ことを特徴とする請求項３記載の溶接電源のロック制御方法である。
【発明の効果】
【００２１】
第１の発明によれば、溶接電源に第１ロックモード及び第２ロックモードを設け、第１ロックモードを選択すると溶接起動・停止指令信号、インチング指令信号及びガスチェック指令信号の入力を許可するので、ロックのときでも溶接ワイヤの溶接トーチへの送給の調整及びガスの流量調整ができる。また、第２ロックモードを選択すると、溶接起動・停止指令信号、インチング指令信号及びガスチェック指令信号に加えて出力電流指令信号及び出力電圧指令信号の入力も許可するので、ロックのときに工作物を交換しても出力電圧及び出力電流の調整ができる。よって、溶接作業の効率化がはかれる。
【００２２】
第２の発明によれば、溶接電源に第３ロックモードを設け、この第３ロックモードを選択すると溶接起動・停止指令信号を除く全ての指令信号の入力を禁止するので、他人が勝手に溶接電源を使用できなくなる。
【００２３】
第３の発明によれば、各ロックモードにパスワードを設け、このパスワードによって各ロックモードを選択するので、ロックモードを選択する高価な多点切換キースイッチを使用しなくてもよい。
【００２４】
第４の発明によれば、各ロックモードに対応するパスワードの入力をフロントパネルに設けた回転式設定部によって行うので、パスワードの入力の簡素化と部品の併用ができる。
【発明を実施するための最良の形態】
【００２５】
［実施の形態１］
図１は、本発明の実施形態１に係る溶接電源ＷＰＳのブロック図である。同図において、図１１に示す従来技術の溶接電源ＷＰＳのブロック図と同一符号の構成物は、同一動作を行うので説明は省略し、符号の相違する構成物についてのみ説明する。
【００２６】
図１に示す溶接電源ＷＰＳにおいて、ロック設定部は、下記に述べるロックモード選択回路ＲＭＳと多点切換キースイッチＫＭとで形成される。また、多点切換キースイッチＫＭは、鍵の抜き差しがＡ点、Ｂ点及びＣ点の３点の位置で行われ、鍵を差して所定の位置からＡ点まで回すと予め定めた時間で１パルスが出力する第１キースイッチ指令信号Ｋｍ１を出力し、Ｂ点まで回すと予め定めた時間で２パルスが出力する第２キースイッチ指令信号Ｋ２ｍを出力し、Ｃ点まで回すと予め定めた時間で３パルスが出力する第３キースイッチ指令信号Ｋｍ３を出力する。
【００２７】
図１に示すロックモード選択回路ＲＭＳは、ロック選択回路ＲＳと溶接指令記憶回路ＡＭとで形成され、ロック選択回路ＲＳは、第１ロックモードＲＳ１、第２ロックモードＲＳ２、第３ロックモードＲＳ３及びロックモード無しＲＳ０を有し、ロック選択回路ＲＳは、第１キースイッチ指令信号Ｋｍ１によって第１ロックモードＲＳ１を選択し、第２キースイッチ指令信号Ｋｍ２によって第２ロックモードＲＳ２を選択し、第３キースイッチ指令信号Ｋｍ３によって第３ロックモードＲＳ３を選択し、多点切換キースイッチＫＭからのキースイッチ指令信号が入力されないとロックモード無しＲＳ０を選択する。
【００２８】
次に、作業者が溶接電源の各ロックモードを選択したときの動作は以下のようになる。  図３は、多点切換キースイッチＫＭによって第１ロックモードＲＳ１が選択されたときの動作を説明する詳細図である。同図において、ロック選択回路ＲＳは、トーチスイッチ指令信号Ｔｓ、ガスチェック指令信号Ｇｓ、インチング指令信号Ｉｎ、出力電圧指令信号Ｖｓ、及び出力電流指令信号Ｉｓ、溶接法選択指令信号Ｗｄ、ワイヤ径選択指令信号Ｉｄ、アークスポット指令信号Ａｔ、一元・個別指令信号Ｕｉを入力とし、第１キースイッチ指令信号Ｋｍ１によって第１ロックモードＲＳ１が選択されると、ロック選択回路ＲＳは、トーチスイッチ指令信号Ｔｓ、ガスチェック指令信号Ｇｓ及びインチング指令信号Ｉｎを選択して図３に示す溶接指令記憶回路ＡＭに出力する。
【００２９】
溶接指令記憶回路ＡＭは、上記選択されたトーチスイッチ指令信号Ｔｓ、ガスチェック指令信号Ｇｓ及びインチング指令信号Ｉｎを書き込んで逐次記憶し、その他の指令信号の書き込みを禁止する。続いて、読み出しは逐次記憶された指令信号を、トーチスイッチ指令信号Ｔｓｋ、ガスチェック指令信号Ｇｓｋ及びインチング指令信号Ｉｎｋとし、第１ロックモードＲＳ１が選択される前に記憶したその他の指令信号を、出力電圧指令信号Ｖｓｍ、出力電流指令信号Ｉｓｍ、溶接法選択指令信号Ｗｄｍ、ワイヤ径選択指令信号Ｉｄｍ、アークスポット指令信号Ａｔｍ及び一元・個別指令信号Ｕｉｍとして出力する。このとき、主制御回路ＳＣは、出力されるトーチスイッチ指令信号Ｔｓｋ、インチング指令信号Ｉｎｋ及びガスチェック指令信号Ｇｓｋに基づいて、溶接電源がロックのときでも溶接ワイヤ２の溶接トーチ１への送給の調整及びガスの流量調整が可能となる。
【００３０】
図４は、第２ロックモードＲＳ２が選択されたときの動作を説明する詳細図である。同図において、ロック選択回路ＲＳは、トーチスイッチ指令信号Ｔｓ、ガスチェック指令信号Ｇｓ、インチング指令信号Ｉｎ、出力電圧指令信号Ｖｓ、及び出力電流指令信号Ｉｓ、溶接法選択指令信号Ｗｄ、ワイヤ径選択指令信号Ｉｄ、アークスポット指令信号Ａｔ、一元・個別指令信号Ｕｉを入力とし、第２キースイッチ指令信号Ｋｍ２によって第２ロックモードＲＳ２が選択されると、トーチスイッチ指令信号Ｔｓ、ガスチェック指令信号Ｇｓ、インチング指令信号Ｉｎ、出力電圧指令信号Ｖｓ及び出力電流指令信号Ｉｓを選択して図４に示す溶接指令記憶回路ＡＭに出力する。
【００３１】
溶接指令記憶回路ＡＭは、上記選択されたトーチスイッチ指令信号Ｔｓ、ガスチェック指令信号Ｇｓ、インチング指令信号Ｉｎ、出力電圧指令信号Ｖｓ及び出力電流指令信号Ｉｓを書き込んで逐次記憶し、その他の指令信号の書き込みを禁止する。続いて、読み出しは逐次記憶された指令信号を、トーチスイッチ指令信号Ｔｓｋ、ガスチェック指令信号Ｇｓｋ、インチング指令信号Ｉｎｋ、出力電圧指令信号Ｖｓｋ及び出力電流指令信号Ｉｓｋとし、第２ロックモードＲＳ２が選択される前に記憶したその他の指令信号を、溶接法選択指令信号Ｗｄｍ、ワイヤ径選択指令信号Ｉｄｍ、アークスポット指令信号Ａｔｍ及び一元・個別指令信号Ｕｉｍとして出力する。このとき、主制御回路ＳＣは、出力されるトーチスイッチ指令信号Ｔｓｋ、ガスチェック指令信号Ｇｓｋ、インチング指令信号Ｉｎｋ、出力電圧指令信号Ｖｓｋ及び出力電流指令信号Ｉｓｋに基づいて、溶接電源がロックのときでも溶接ワイヤ２の溶接トーチ１への送給の調整、ガスの流量調整に加えて溶接電源の出力電圧及び出力電流の調整も可能となる。
【００３２】
図５は、第３ロックモードＲＳ３が選択されたときの動作を説明する詳細図である。同図において、ロック選択回路ＲＳは、図３及び図４に示す指令信号と同一の指令信号を入力とし、第３キースイッチ指令信号Ｋｍ３によって第３ロックモードＲＳ３が選択されると、トーチスイッチ指令信号Ｔｓを選択して溶接指令記憶回路ＡＭに出力する。
【００３３】
溶接指令記憶回路ＡＭは、上記選択されたトーチスイッチ指令信号Ｔｓを書き込んで逐次記憶し、その他の指令信号の書き込みを禁止する。続いて、読み出しは逐次記憶された指令信号を、トーチスイッチ指令信号Ｔｓｋとし、第３ロックモードＲＳ３が選択される前に記憶したその他の指令信号を、ガスチェック指令信号Ｇｓｍ、インチング指令信号Ｉｎｍ、出力電圧指令信号Ｖｓｍ、出力電流指令信号Ｉｓｍ、溶接法選択指令信号Ｗｄｍ、ワイヤ径選択指令信号Ｉｄｍ、アークスポット指令信号Ａｔｍ及び一元・個別指令信号Ｕｉｍとして出力する。このとき、主制御回路ＳＣは、トーチスイッチ指令信号Ｔｓｋのみが更新され、その他の指令信号の更新が禁止されるので、溶接電源がロックのときに他人が勝手に溶接電源を使用できなくなる。
【００３４】
次に、作業者が溶接電源のロックを解除するときは以下のように行う。作業者は多点切換キースイッチＫＭに抜いた鍵を、例えばＡ点の位置に差し所定の位置に戻して鍵を抜くと多点切換キースイッチＫＭは、第１キースイッチ指令信号Ｋｍ１の出力を停止する。
【００３５】
図２は、ロックモード無しのときの動作を説明する詳細図である。同図において、ロック選択回路ＲＳは、トーチスイッチ指令信号Ｔｓ、ガスチェック指令信号Ｇｓ、インチング指令信号Ｉｎ、出力電圧指令信号Ｖｓ、及び出力電流指令信号Ｉｓ、溶接法選択指令信号Ｗｄ、ワイヤ径選択指令信号Ｉｄ、アークスポット指令信号Ａｔ、一元・個別指令信号Ｕｉを入力とし、第１キースイッチ指令信号Ｋｍ１の入力が停止するとロックモード無しＲＳ０が選択される。このとき、入力信号である上記全ての指令信号を選択して溶接指令記憶回路ＡＭに出力する。
【００３６】
溶接指令記憶回路ＡＭは、上記全ての指令信号を書き込んで逐次記憶し、続いて、読み出しは逐次記憶された上記全ての指令信号を、トーチスイッチ指令信号Ｔｓｋ、ガスチェック指令信号Ｇｓｋ、インチング指令信号Ｉｎｋ、出力電圧指令信号Ｖｓｋ、出力電流指令信号Ｉｓｋ、溶接法選択指令信号Ｗｄｋ、ワイヤ径選択指令信号Ｉｄｋ、アークスポット指令信号Ａｔｋ及び一元・個別指令信号Ｕｉｋとして出力する。このとき、溶接指令記憶回路ＡＭは、上記全ての指令信号の書き込みを許可するので、ロック解除となる。
【００３７】
［実施の形態２］
実施形態１と実施形態２の違いは、図１に示す多点切換キースイッチＫＭを図６に示すパスワード対応モード設定回路ＰＭＳに置換したのみであり、その他の構成物は、図１に示す実施形態１に係る溶接電源ＷＰＳのブロック図と同一構成であるので説明は省略する。
【００３８】
図６は、パスワード対応モード設定回路ＰＭＳの詳細図であり、パスワード対応モード設定回路ＰＭＳは、表示器１０、実行キー２０、選択キー３０、回転式設定器ＤＳ及びパスワード・モード設定回路ＰＭによって形成される。図７は、溶接電源ＷＰＳのフロントパネルＦＰに設けられたロック／パスワード設定部の一例を示す外観図であり、液晶等の表示器１０には、設定したロックモード及びパスワードの番号を表示する。実行キー２０は、設定したロックモード又はパスワードを確定するときに使用する。選択キー３０は、モード設定又はパスワード設定を選択するときに使用する。回転式設定器ＤＳは、図７に示すように、ダイヤルと０〜９までの目盛とを設け、ダイヤルを目盛１に合わせると、図１０（Ａ）に示す、予め定めた時間に１パルスが出力され、目盛３に合わせると図１０（Ｃ）に示す、３パルスが出力し、目盛９に合わせると図示省略の９パルスが出力する。上記より回転式設定器ＤＳは、ダイヤルの目盛を大きくしていくとパルスが１個づつ増加する。
【００３９】
図８及び図９は、本発明の実施形態２に係る溶接電源のロック制御方法の動作を説明するフローチャートである。同図を参照して実施形態２のロックモードの選択及びパスワードの設定方法について説明する。
【００４０】
図８に示すステップＳＴ０１において、実行キー２０及び選択キー３０を同時に予め定めた時間押すと、図６に示すパスワード・モード設定回路ＰＭはモード設定に入る。
【００４１】
ステップＳＴ０２において、図７に示す回転式設定器ＤＳのダイヤルを目盛１に合わせると、パスワード・モード設定回路ＰＭに図１０（Ａ）に示す１パルスの回転式設定信号Ｄｓ１が入力される。
【００４２】
ステップＳＴ０３において、表示器１０にモード設定番号１が表示され、作業者が表示器１０によって第１モードを設定することを確認する。
【００４３】
ステップＳＴ０４において、作業者が実行キー２０を押すとパスワード・モード設定回路ＰＭに回転式設定器ＤＳのダイヤル目盛１に基づいて第１モードの設定が確定する。
【００４４】
ステップＳＴ０５において、作業者が選択キー３０を押してモード設定からパスワード設定に移行させる。
【００４５】
図９に示すステップＳＴ０６において、パスワード設定になり、このとき回転式設定器ＤＳのダイヤルを、例えば、目盛６に合わせると、パスワード・モード設定回路ＰＭに、図１０（Ｄ）に示す６パルスの回転式設定信号Ｄｓ６が入力され第１モードにパスワード６が入力される。
【００４６】
ステップＳＴ７において、第１モードに入力したパスワードが予め定めたパスワードと同一であるかを確認し、ＮＯの場合は、選択キー３０を押してステップＳＴ０６に戻り、回転式設定器ＤＳによって再度パスワードを入力する。ＹＥＳの場合は、ステップＳＴ０９に進み、実行キー２０を押して第１モードにパスワード６の設定を確定する。このとき、パスワード・モード設定回路ＰＭは、第１モード設定信号Ｐｍ１をロックモード選択回路ＲＭＳに出力する。ロックモード選択回路ＲＭＳは、第１モード設定信号Ｐｍ１に基づいて第１ロックモードＲＳ１を選択する。
【００４７】
上述において、パスワードに１桁の番号を用いているが、パスワードに数桁の番号を用いてもよい。
【００４８】
次に、作業者が溶接電源のロックを解除するときは以下のように行う。ロックのときに実行キー２０と選択キー３０とを同時に予め定めた期間押すとパスワード・モード設定回路ＰＭはモード設定からモード解除に移行する。
【００４９】
モード解除に移行すると、図９に示すステップ０６〜ステップ１０と同一処理を行い、設定したパスワード６と同一パスワードを再度入力して実行キー２０を押す。このとき、パスワード・モード設定回路ＰＭは、モード解除と判別して第１モード設定信号Ｐｍ１の出力を停止する。続いて、ロックモード選択回路ＲＭＳは、第１モード設定信号Ｐｍ１の出力が停止するとロックモード無しＲＳ０を選択してロック解除とする。よって本実施の形態２では、ロックモードの選択を高価な多点切換キースイッチを使用しなくて済む。
【図面の簡単な説明】
【００５０】
【図１】本発明の実施形態１に係る溶接電源ＷＰＳのブロック図である。
【図２】ロックモード無しを選択したときの動作を説明する詳細図である。
【図３】第１ロックモードを選択したときの動作を説明する詳細図である。
【図４】第２ロックモードを選択したときの動作を説明する詳細図である。
【図５】第３ロックモードを選択したときの動作を説明する詳細図である。
【図６】本発明の実施形態２に係るパスワード対応モード設定回路ＰＭＳの詳細図            である。
【図７】溶接電源のフロントパネルに設けられたロック／パスワード設定部の一例            を示す外観図である。
【図８】実施形態２に係る溶接電源のロック制御方法を示すフローチャートである。
【図９】実施形態２に係る溶接電源のロック制御方法を示すフローチャートである。
【図１０】回転式設定器の動作を説明する波形図である。
【図１１】従来技術の溶接電源ＷＰＳのブロック図である。
【符号の説明】
【００５１】
１            溶接トーチ
２            溶接ワイヤ
３            被加工物
４            ワイヤ送給モータ
ＡＣ          商用周波数の交流電源
ＡＭ          溶接指令記憶回路
ＡＴ          アークスポットスイッチ
Ａｔ          アークスポット指令信号Ａｔ
ＤＳ          回転式設定器
Ｄｓ          回転式設定信号
ＥＡ          誤差増幅回路
Ｅａ          誤差増幅信号
ＩＤ          ワイヤ径選択スイッチ
Ｉｄ          ワイヤ径選択指令信号
ＩＮ          インチングスイッチ
Ｉｎ          インチング指令信号
Ｉｒ          電流設定信号
Ｉｓ          出力電流指令信号
Ｉｗ          溶接電流
ＩＮＶ        電源主回路
ＧＳ          ガスチェックスイッチ
Ｇｓ          ガスチェック指令信号
ＫＳ          キースイッチ
Ｋｓ          キースイッチ指令信号
ＫＭ          多点切換キースイッチ
Ｋｍ１        第１キースイッチ指令信号
Ｋｍ２        第２キースイッチ指令信号
Ｋｍ３        第３キースイッチ指令信号
ＲＥ          リモートコントロール
ＲＫ          ロック設定回路
ＰＭ          パスワード・モード設定回路
ＲＳ          ロック選択回路
ＳＣ          主制御回路
ＳＷ          送給制御回路
Ｓｗ          送給制御信号
ＴＳ          トーチスイッチ
Ｔｓ          トーチスイッチ指令信号（溶接起動・停止指令信号）
ＵＩ          一元・個別スイッチ
Ｕｉ          一元・個別指令信号
ＶＤ          電圧検出回路
Ｖｄ          電圧検出信号
Ｖｒ          電圧設定信号
Ｖｓ          出力電圧指令信号
Ｖｗ          溶接電圧
ＷＤ          溶接法選択スイッチ
Ｗｄ          溶接法選択指令信号
ＷＰＳ        溶接電源
【図１】
2007210007.tif 000003
【図２】
2007210007.tif 000004
【図３】
2007210007.tif 000005
【図４】
2007210007.tif 000006
【図５】
2007210007.tif 000007
【図６】
2007210007.tif 000008
【図７】
2007210007.tif 000009
【図８】
2007210007.tif 000010
【図９】
2007210007.tif 000011
【図１０】
2007210007.tif 000012
【図１１】
2007210007.tif 000013